(57)【要約】      （修正有）【課題】複数の電力制御電源に対応できる遠隔制御と，ネットワーク管理システムを簡易な構成により低コストで提供する。【解決手段】制御回路４とセンシング手段と，半導体制御素子などを含む電源主回路１とから構成される電力制御電源ＥＳに対し，設定電圧データ送信手段６とデータ受信制御手段１１と基準電圧生成手段１２を設け，ＳＮＭＰマネージャ側の表示・入力手段で設定電圧データが修正入力操作され，通信回線３０で送受信し，前記基準電圧生成手段で制御信号を生成して電力制御電源ＥＳの出力特性を制御する遠隔制御手段を構成した。この構成の信号系統と分離させてＳＮＭＰエージェントモジュールとセンシング手段を具備した電力制御電源ＥＳと，通信回線３０を介してＳＮＭＰマネージャ側を接続した遠隔監視のネットワーク管理システムを構成した。【選択図】  図１
2005122563.tif 000002
【特許請求の範囲】
【請求項１】
ＳＮＭＰマネージャで遠隔監視されネットワーク管理される電力制御電源側に，定電力制御などの制御回路の設定電圧データを送信する為の設定電圧データ送信制御手段と，設定電圧データを，所定の通信回線で伝送する為の通信インタフェースを；具備し，通信回線から受信するためのデータ受信制御手段と受信電圧データを基準電圧として出力するための基準電圧生成手段とを；備えており，ＳＮＭＰマネージャ側には．伝送されたデータを受信して蓄積する電圧データ蓄積手段と，受信データの表示を制御する第１の表示制御手段及び表示手段と；設定電圧信号修正手段と通信インタフェースを具備し，ＳＮＭＰマネージャ側から通信回線で送信された設定電圧データを受信した電力制御電源側は，制御回路の基準値である設定電圧が遠隔位置で修正操作されることを特徴とする電源の遠隔制御とネットワーク管理システム。
【請求項２】
請求項１記載の，電源の遠隔制御とネットワーク管理システムにおいて，電力制御電源が入力電圧，入力電流，入力電力，出力電圧，出力電流，出力電力，内部所定部位の特性値のうちの何れか又は全てを監視し，異常を検出する異常センシング手段と；ＳＮＭＰエージェントモジュールを具備し，ＳＮＭＰマネージャが送信された該異常警報データを受信する為のＭＩＢ情報で管理するＭＩＢデータベースと；第２の表示制御手段とを；備えて，異常警報データが制御データとは分離して送信，受信，表示されることを特徴とする電源の遠隔制御とネットワーク管理システム。
【請求項３】
請求項１乃至２記載の，電源の遠隔制御とネットワーク管理システムにおいて，ＳＮＭＰマネージャの表示及び入力手段に接続されたタッチパネル入力インタフェースを具備し，入力ソフトウエアを具備し，タッチパネル式表示部の所定の位置への指先タッチによる入力ができることを特徴とする，電源の遠隔制御とネットワーク管理システム。
【請求項４】
請求項１乃至３記載の，電源の遠隔制御とネットワーク管理システムにおいて，ＳＮＭＰマネージャで遠隔監視されネットワーク管理される電力制御電源が，センシング手段と異常判定手段から成る，電源管理手段を具備した電力制御電源であることを特徴とする遠隔制御とネットワーク管理システム。
【請求項５】
請求項４記載の，センシング手段と異常判定手段から成る電源管理手段の，点検対象には電力制御電源に内蔵または付帯する部材または機器が含まれることを特徴とする電源の遠隔制御とネットワーク管理システム。
【請求項６】
前記表示手段で表示される情報のためのデータが，ＭＩＢ（Management Information Base）情報データベースを用いて管理されることを特徴とする請求項１乃至５記載の，電源の遠隔制御とネットワーク管理システム。
【請求項７】
前記表示手段で表示される情報のためのデータが，ＳＮＭＰ（Simple       Network Management Protocol）に従って制御されて送信され受信されることを特徴とする請求項１乃至６記載の電源の遠隔制御とネットワーク管理システム。
【発明の詳細な説明】
【技術分野】
【０００１】
本発明は，通信機用や試験用などに用いられる電源の遠隔制御とネットワーク管理システムに関し，遠隔地から電源の制御回路に含まれた基準値である電圧設定値や電流設定値などの修正操作を可能にする。
【背景技術】
【０００２】
従来，試験用などの電源としては，出力を定電圧特性に保つ制御電源が用いられ，設置された現場の負荷電圧によって制御電源の設定値修正が必要となる。遠隔監視の結果，設置された現場に行って設定値を修正操作することがあった。遠隔監視されるリモート制御機器（通信用計測器）のネットワーク監視装置についての技術を開示した特許文献１がある。
【０００３】
【特許文献１】「特開２０００−２８６８７９」公報。「発明の名称：ＳＮＭＰによるネットワーク監視装置，制御インタフェース部およびリモート制御機器」の（段落０００８）に「既存のリモート制御機器，例えば通信用計測器のリモート機能をＳＮＭＰエージェント機能に変換するための制御インタフェース部をエージェント部に設ける」「この結果，このエージェント部はＳＮＭＰマネージャ制御とインタフェース部を持つ機器との間を仲介し，ＳＮＭＰに対応していない既存計測器をＳＮＭＰによるネットワーク監視環境に収容することができる」と記述されている。この説明のために構成を図３に示した。
【０００４】
同公報（段落００１４）に「バッファ部はポインタバッファと４つの機能バッファである情報バッファ，ポート情報バッファ，リモートコマンドバッファ，データバッファから構成される。ポインタバッファは４つの機能バッファ，それぞれの開始アドレスを保持している。情報バッファは通信用計測器の種別などのパブリック情報に，ポート情報バッファはリモートのためのポート情報に，リモートコマンドバッファはリモートコマンドやリクエストなどに，データバッファはモニタ項目やデータなどにそれぞれ使用される。」と記載されている。このように大容量メモリのハードウエアとソフトウエアから構成されている。
【０００５】
制御インタフェース部の構成のバッファ部は大きいメモリのハードウエアとソフトウエアを必要とし，収容するため製作コスト高となり，しかも，情報をやり取りする為のバッファ部であるから，制御情報のやり取り速度に難点があり，遠隔監視には支障ないが，遠隔制御には応答速度に問題があり，対象が電力制御電源などの場合には，入力操作と出力応答遅れの不快感を伴うので使えない。制御電源において遠隔制御を可能にしたいとの要求には対応が不十分である欠点があった。
【発明の開示】
【発明が解決しようとする課題】
【０００６】
データのやり取り速度が，応答速度の速い制御に対しての阻害要因となっている従来の欠点を排除し，監視と制御の操作ができる簡便な低コスト構成の制御電源の遠隔制御装置とネットワーク管理システムの提供が課題であった。
【課題を解決するための手段】
【０００７】
上記課題を解決するために，電源の制御回路に含まれている基準値を遠隔位置から修正操作する機能。と，異常警報データの表示機能。とを，分離してそれぞれ独立の表示制御手段とし，第１の表示制御手段と第２の表示制御手段とに分けて各ソフトウエア実行時間を短くしたので両者とも速く表示できるようになった。制御の応答速度を阻害しないようにする為に，制御の設定電圧データに関しては第１の表示制御手段で処理され，第２の表示制御手段で処理される異常警報データとは分離した処理手段を具備している。このようにして簡易な構成で必要機能を達成させる事とした。
【０００８】
遠隔位置から基準電圧修正操作については，ＳＮＭＰマネージャで遠隔監視されネットワーク管理される電力制御電源側に，定電力制御などの制御回路の設定電圧データを送信する為の設定電圧データ送信制御手段と，設定電圧データを，所定の通信回線で伝送する為の通信インタフェースを具備し，通信回線から受信するためのデータ受信制御手段と受信電圧データを基準電圧として出力するための基準電圧生成手段とを備えており，ＳＮＭＰマネージャ側には伝送されたデータを受信して蓄積する電圧データ蓄積手段と受信データの表示を制御する第１の表示制御手段及び表示手段と，設定電圧信号修正手段と通信インタフェースを具備し，ＳＮＭＰマネージャ側から通信回線で送信された設定電圧データを受信した電力制御電源側は，制御回路の基準値である設定電圧が遠隔位置で修正操作されることを特徴とする，電源の遠隔制御とネットワーク管理システムとした。従来の大容量メモリのハードウエアとソフトウエアから構成されて操作の追従性の良くない特許文献１の場合に比べてこの部分のコストを６０％削減させると同時に処理速度が倍増した。
【０００９】
機器の故障有無，入力の電気的数値，出力の電気的数値，内部指定部位の電気特性値，内部指定部位の温度など，監視の要求項目に関するデータを収集し異常を検出する異常センシング手段と，収集した異常データを所定のフォーマットに従ってＭＩＢ情報に符号をつける。ＳＮＭＰマネージャ側には，伝送されたデータを受信し，受信データの表示制御は，第２の表示制御手段で制御データの表示制御と同時平行で処理されて，前記制御データとは別に表示される。ＭＩＢ情報データベースにアクセスしてＳＮＭＰマネージャとの通信を可能にするＳＮＭＰエージェントモジュールのハードウエア及びソフトウエアを備える事によって，複数の電力制御電源側をＳＮＭＰマネージャ側が遠隔監視する在来ソフトウエアを利用するので，ソフトウエア開発コストの削減を享受することが出来た。
【００１０】
電源装置によっては充電可能な二次電池などを付帯させており，電池の充電状態や寿命末期の状態など多様な監視点の様々のセンシング情報を検出するセンシング手段とデータの判定機能である異常判定手段とから構成された制御電源管理手段を付帯させた電源装置に対しても，遠隔監視可能にするため該電源管理手段とＳＮＭＰエージェントモジュールを付帯させている。表示手段にタッチパネルインターフェースを具備して異常警報の表示にタッチして深い層のデータを見ることが出来るようにして，入力操作をより簡便にした。
【００１１】
ＭＩＢ（Management Information Base）情報として，収集したデータの名称，数値データ，説明する記述文章としてＭＩＢデータベースに格納するソフトウエアは在来の技術が利用でき，開発負担が削減できた。このネットワークに今後，追加して接続される電力制御電源側にはＭＩＢデータベースに修正するデータの入力負担だけで，多品種の電力制御電源に対応できたので，低コスト構成で電源の遠隔制御装置とネットワーク管理システムの提供が可能になった。対象機種の多品種，電気特性値の多種類に対しては，ＭＩＢの割り当て構成を設定することで対応できる。
【００１２】
ネットワークを管理するプロトコルとしてＳＮＭＰを用いる事によってネットワークの今後の拡張への対応が容易であり，光源用電源や電解用電源，電池充電用電源，溶接用電源など多種の電力制御電源の遠隔監視と，基準電圧値の修正設定操作などネットワーク管理システムの拡張が可能になったので多種の制御電源の修理点検コスト削減に寄与するシステムとなった。
【発明の効果】
【００１３】
遠隔操作で制御回路の基準値を設定する設定電圧データ送受信制御機能と，電源の異常を遠隔監視する故障データの送受信制御機能とを，分離したデータ送信制御構成で可能としたので，制御処理速度が速い送受信・表示が，簡便な構成で低コストの製作費で実現可にした。警報データはＳＮＭＰエージェントモジュールを具備した複数の電源装置を，集中監視センターのＳＮＭＰマネージャで一元管理して，電源装置毎の故障有無が遠隔監視出来て，故障した個所の内容を知る表示が出来るので故障回復への対応が早く電源装置稼働率が向上する。
【発明を実施するための最良の形態】
【００１４】
本発明による実施の形態を図１のブロック図に示して説明する。１は遠隔監視される対象の，電力制御電源の主回路であり，トランジスタなどの制御素子が含まれた回路である。２は電力制御電源の入力端子，３は電力制御電源の出力端子である。４は電力制御電源の制御回路である。５は制御回路の基準値（設定電圧）であり，１２の基準電圧生成手段で生成され１３の比較器に入力されるとともに，６の設定電圧データ送信制御手段と，７の通信インタフェースを介して通信回線３０に接続される。以上の構成は電力制御電源ＥＳの主要な部分である。
【００１５】
８は電圧データ蓄積手段であり，１６の設定値修正入力手段および１０のデータ送信制御手段とによって設定電圧信号修正手段９を形成して，ＳＮＭＰマネージャの構成要素である。第１の表示制御手段１９で表示手段２２に表示された数値を監視しつつ設定値修正入力手段１６によって修正値を入力すれば，１０のデータ送信制御手段と７１の通信インタフェースを介して信号が送信され，通信回線３０で伝送されて，データ受信制御手段１１で受信され，基準電圧生成手段１２で基準値（設定電圧）５が生成され比較器１３にて出力電圧センサー１４の検出電圧値と比較されて誤差が零になるようにゲート信号生成回路１５の信号を生成し，主回路１の制御素子の制御極に供給されて出力電圧を一定になるよう制御するフィードバック制御回路が形成されている。１４のセンサを電流センサとしたり，電力センサとして，主回路の出力を定電流制御したり，定電力制御する電力制御電源も，同じ考え方で適用されるが，ここでは定電圧制御についてのみ説明している。
【００１６】
基準値（設定電圧）５が前記のように通信回線３０を通じて７１の通信インタフェースを介してＭＳのＳＮＭＰマネージャが受信し，第１の表示制御手段１９で表示手段２２に表示される，この表示制御機能は修正値入力のために独立させたので遠隔位置から設定電圧を修正入力する時の入力者感覚に時間ずれを感じさせない即応性を維持していて従来例のような操作不快感を排除している。
【００１７】
ＥＳの電力制御電源に１７の異常センシング手段を設けて各部の温度を測定して異常な値を検出した場合，ＳＮＭＰエージェントモジュール１８がＭＩＢデータベースに格納している警報情報の中の該当符号を選定して通信インタフェース７，通信回線３０を通じて送信する。３０の通信回線は，公衆回線や専用線であり電波，光を媒体とする通信回線も含まれる。
【００１８】
ＭＳのＳＮＭＰマネージャはこれに具備している通信インタフェース７１を介して前記警報情報の符号を受信し，ＭＩＢデータベースから該符号に相当する警報メッセージを選定し，これを第２の表示制御手段が信号に変換生成して表示手段２２で監視できるように表示する。第２の表示制御手段が警報情報に専用に設けられていて，前記制御のための設定値入力とは分離して作動させているので，制御の設定電圧値の操作信号送受信を遅らせる要因は排除されている。
【実施例】
【００１９】
本発明による第二の実施形態を図２のブロック図に示して説明する。ＥＳの電力制御電源に付帯して２４のセンシング手段を設けて各部の温度や電気特性を測定して，異常判定手段２５で判定した結果の数値や警告を，ＭＩＢ管理ソフトを具備したＳＮＭＰエージェントモジュール１８が，ＭＩＢデータベースに格納している警報情報符号を選定して通信インタフェース７，通信回線３０を通じて送信する。電源装置の構成要素を点検するセンシング手段２４と異常判定手段２５から，制御電源管理手段２６を形成した。二次電池を付帯した制御電源の場合，点検対象に二次電池が含まれる。二次電池の充電状態や寿命末期に近づいているかどうか判定すること等が異常判定に含まれており，電池のトラブルを未然に診断して対応できるため，メンテナンスを必要とする電源装置に対して遠隔監視することの利益は大きい。
【００２０】
ＭＳのＳＮＭＰマネージャに具備している通信インタフェース７１を介して前記警報情報を受信し，２１のＳＮＭＰマネージャモジュールがＭＩＢ管理ソフトから警報メッセージを選定し，これを第２の表示制御手段が信号に変換生成して表示手段２２が監視できるように表示する。２３のタッチパネルインタフェースで，表示手段と入力手段との複合機能を具備しているから，送信された信号を蓄積しておいた文章情報で表示された詳細内容を開く簡便な操作で各電源の状況が監視できるようにした。
【産業上の利用可能性】
【００２１】
以上のように電源の異常を遠隔監視するとともに，制御数値の修正的な操作を，故障データとは分離したデータ送信制御で可能とした。ＳＮＭＰエージェントモジュールを具備した複数の電源装置について，監視センターのＳＮＭＰマネージャで一元管理して，故障の有無を遠隔監視が出来て，故障した個所の内容を知ることが出来る。修理対応の情報を示して遠隔地から修理員に指令できるので各電源装置の故障回復が速くなり，産業上の貢献度が高い。
【図面の簡単な説明】
【００２２】
【図１】本発明による一実施形態のブロック図
【図２】本発明による第二の実施形態のブロック図
【図３】従来の装置のブロック図
【符号の説明】
【００２３】
１  電力制御電源の主回路    
２  電力制御電源の入力端子
３  電力制御電源の出力端子
４  制御回路
５  制御回路の基準値（設定電圧）
６  設定電圧データ送信制御手段
７  通信インタフェース
８  電圧データ蓄積手段
９  設定電圧信号修正手段
１０  データ送信制御手段
１１  データ受信制御手段
１２  基準電圧生成手段
１３  比較器
１４  出力電圧センサー
１５  ゲート信号生成回路
１６  設定値修正入力手段
１７  異常センシング手段
１８  ＳＮＭＰエージェントモジュール
１９  第１の表示制御手段
２０  第２の表示制御手段
２１  ＭＩＢ情報管理ソフト
２２  表示手段
２３  タッチパネルインタフェース
２４  センシング手段
２５  異常判定手段
２６  制御電源管理手段
３０  通信回線（公衆回線・専用回線）
７１  通信インタフェース
ＥＳ  電力制御電源
ＭＳ  ＳＮＭＰマネージャ
ＭＩＢ  ＭＩＢデータベース
【図１】
2005122563.tif 000003
【図２】
2005122563.tif 000004
【図３】
2005122563.tif 000005